(57)【要約】【課題】  製造が容易で、しかも、外部から内部に収納された乾燥剤の吸湿可能状態を正確に判断でき、使用寿命も分かる、実用性の高い乾燥剤収納体を提供する。【解決手段】  内部にインジケータ５と乾燥剤６が収納される収納袋本体１と、収納袋本体１に設けられた透明部Ｔと、インジケータ５が湿度に応じて表示する色を表示した色見本部材１０と、を有することを特徴とする。【選択図】図１
2005297969.tif 000002
【特許請求の範囲】
【請求項１】
内部にインジケータと乾燥剤が収納される収納袋本体と、当該収納袋本体に設けられた透明部と、前記インジケータが湿度に応じて表示する色を表示した色見本部材と、を有することを特徴とする乾燥剤収納体。
【請求項２】
前記色見本部材は、前記透明部の領域内に設けられ、前記インジケータが湿度に応じて表示する色に対応する色を段階的に表示した色見本部と、当該色に対応する乾燥剤の吸湿可能状態を数値表示した数値表示部とを有することを特徴とする請求項１に記載の乾燥剤収納体。
【発明の詳細な説明】
【技術分野】
【０００１】
本発明は、内部に収納された乾燥剤の吸湿可能状態が分かる乾燥剤収納体に関する。
【背景技術】
【０００２】
一般に、水分あるいは湿気を嫌う食品や精密機器等が収納された容器内には、シリカゲルあるいはゼオライト等からなる乾燥剤が内部に封入された袋状の乾燥剤収納体が入れられ、使用されている。この乾燥剤収納体は、従来から、有孔で透明な樹脂フィルム、たとえば、ポリプロピレンフィルムなどにより形成された通気性のある袋内に、乾燥剤と、吸湿状態により色が変化するインジケータを入れたものや、不織布からなる袋内に、乾燥剤と、インジケータを入れたもの等がある。なお、場合によっては、インジケータを入れてないものもある。
【０００３】
前記透明な樹脂フィルムのものは、吸湿効果は不織布より劣るが、インジケータを観察しやすく、製造も容易である。一方、不織布のものは、吸湿効果は前記樹脂フィルムのものに勝るものの、透明性に欠けることから、内部のインジケータが見にくい。このため、不織布の一部に穴を設け、この穴を透明フィルムにより閉じ、外部から見え易くしたものもある。
【０００４】
ところが、このような乾燥剤収納体は、インジケータが色変化しても、どの程度吸湿しているのか、あとどの位乾燥剤を使用できるのか、正確には分からない。また、不織布のものは、一部に穴を設け、これを透明のフィルムにより閉じる場合、穴位置と透明フィルムにずれが発生し易く、製造が面倒になる虞がある。
【０００５】
また、最近では、金属と有機物との酸化・窒化反応を抑制する抑制剤が内部に設けられた密閉容器内の湿度が外部から分かるように、容器に穴を明け、この穴に透明プラスチックフィルムで覆ったインジケータを設けて湿度表示手段としたものもある（下記特許文献１参照）。
【０００６】
しかし、これも前記不織布のものと同様に、製造が面倒であり、しかも外部から目視できるようにしても、吸湿状態がどの程度を数値的に判断することは不明であり、このため乾燥剤があとどの程度使用できるかも分からず、使用勝手の悪いもので、実用性のないものとなっている。
【特許文献１】特開２００３−１８０８６４号公報（要約、請求項９、段落番号［００１９］、図３参照）
【発明の開示】
【発明が解決しようとする課題】
【０００７】
本発明は、上述した課題を解決するためになされたもので、製造が容易で、しかも、外部から内部に収納された乾燥剤の吸湿可能状態を正確に判断でき、使用寿命も分かる、実用性の高い乾燥剤収納体を提供ことにある。
【課題を解決するための手段】
【０００８】
上記目的を達成するために、本発明に係る乾燥剤収納体は、内部にインジケータと乾燥剤が収納される収納袋本体と、当該収納袋本体に設けられた透明部と、前記インジケータが湿度に応じて表示する色を表示した色見本部材と、を有することを特徴とする。
【０００９】
また、本発明に係る乾燥剤収納体の色見本部材は、前記透明部の領域内に設けられ、前記インジケータが湿度に応じて表示する色に対応する色を段階的に表示した色見本部と、当該色に対応する乾燥剤の吸湿可能状態を数値表示した数値表示部とを有することを特徴とする。
【発明の効果】
【００１０】
本発明の乾燥剤収納体は、内部に乾燥剤が収納された収納袋本体に色見本部材を取付けたので、外部から内部に収納された乾燥剤の吸湿可能状態や、使用寿命を目視により、正確に判断することができる。
【００１１】
また、色見本部材は、インジケータが湿度に応じて表示する色に対応する色を段階的に表示した色見本部と、当該色に対応する乾燥剤の吸湿可能状態を数値表示した数値表示部とを有するので、インジケータの色と色見本部の色との直接対比観察により乾燥剤の現状あるいは使用寿命を容易に判断することができる。また、色見本部材を収納袋本体の透明部の領域内に貼着などにより取付けると、製造面でも有利となるのみでなく、インジケータと色見本部との比較が容易にでき、乾燥剤の吸湿可能状態や、使用寿命を正確に判断することができる。
【発明を実施するための最良の形態】
【００１２】
以下、図面を参照して、本発明の実施の形態を詳細に説明する。
【００１３】
図１は本発明の実施形態に係る乾燥剤収納体を示す斜視図、図２は図１の２−２線に沿う断面図、図３は同実施形態の色見本部材を示す平面図である。
【００１４】
本実施形態に係る乾燥剤収納体１は、図１，２に示すように、収納袋本体２と、収納袋本体２に設けられた色見本部材１０とを有している。
【００１５】
収納袋本体２は、全体的には不織布により構成されているが、中央部分は不織布が設けられていない領域３が形成され、この領域３を、たとえば、ポリプロピレンフィルムなどの樹脂フィルムからなる透明もしくは半透明のシート４（以下簡単のため透明シート４）が覆うように設けられ、収納袋本体２とヒートシールなどにより固着され、透明部Ｔが形成されている。この透明部Ｔの大きさは、中身が見えるならばどのようなものでもよいが、本実施形態では、製造面での容易化を図るため、透明シート４は、収納袋本体２の一端から他端まで全体にわたり設けられ、ヒートシールにより固着している。
【００１６】
この収納袋本体２の内部には、粒状のインジケータ５と、シリカゲルあるいはゼオライト等からなる粒状の乾燥剤６が収納されている。なお、図２においては、理解を容易にするため、一部のインジケータ５と乾燥剤６を拡大表示している。
【００１７】
一方、前記色見本部材１０は、前記透明部Ｔの領域内に、つまり、透明シート４の表面の一部に中身が見えるように貼着されている。色見本部材１０について、さらに詳述すれば、図３に示すように、透明シート４の表面に貼着された透明シート状基板１１に、インジケータ５が湿度に応じて変化する色に対応する色を段階的に表示した色見本部１２と、当該色見本部１２の各色が示す吸湿可能状態を数字で％表示した数値表示部１３とを印刷したものである。本実施形態では、色見本部１２と数値表示部１３の数値との対応関係が容易に理解できるように、色見本部１２内に数値表示部１３の数値を記載しているが、別位置に数値表示部１３の数値を記載してもよい。また、この色見本部材１０は、透明シート状基板１１に表示された前記色見本部１２や数値表示部１３の余剰部分に、種々の注意書きや説明書き、たとえば「梱包内の湿度の目安としてご使用ください」などを記載しても良い。
【００１８】
次に、本実施形態の作用を説明する。
【００１９】
図４は乾燥剤収納体の製造状態を略示した説明図である。まず、本実施形態に係る乾燥剤収納体１の製造方法について概説する。図４に示すように、所定幅の不織布２０が巻回された不織布ロールＲ１から不織布２０を引き出し、その先端を取出しローラ２１で挟持し、連続的に不織布２０が引き出されるようにする。この不織布ロールＲ１から取出しローラ２１に至る経路中には、当該帯状不織布２０の長手軸線に直交する断面がＣ字状になるように成形する成形部材２２が設けられている。
【００２０】
また、別途設けられた透明シート４が巻回された透明シートロールＲ２から透明シート４を引き出し、その先端を前記取出しローラ２１で挟持し、連続的に透明シート４が引き出されるようにする。
【００２１】
そして、前記取出しローラ２１やガイドローラ２３によりＣ字状とされた不織布２０に沿うように透明シート４を導き、不織布２０の両側端間に形成された、不織布２０が設けられていない領域３を透明シート４が覆うように配置する。この状態で、不織布２０と透明シート４とを第１加熱部材２４によりヒートシールすると、不織布２０と透明シート４は、長手軸線に直交する断面が環状の筒状体になる。
【００２２】
このように流れ搬送されている不織布２０に透明シート４をヒートシールにより取付けると、位置ずれなく透明シート４を取り付けることができ、製造が容易になり、不良率が低く、安定的に製造できる。
【００２３】
前記取出しローラ２１による前記筒状体の取出しを一時的に停止し、当該筒状体を長手軸線に直交する方向から第２加熱部材２５によりヒートシールし、下方側の封止端を形成する。
【００２４】
このヒートシール後、上方のホッパー２６から粒状のインジケータ５と乾燥剤６を所定量投入し、所定長下方へ移動した後、貯溜された乾燥剤６などの上部を長手軸線に直交する方向から第２加熱部材２５によりヒートシールし、封止すると、上方側の封止端が形成され、この上方側封止端の上部をカッター２７により切断すると、乾燥剤収納体１が形成される。
【００２５】
最後に、色見本部材１０を透明シート４の表面に貼着すると、製造作業は完了する。ただし、この色見本部材１０の透明シート４への貼着は、この段階でなく、予め行っておいてもよい。
【００２６】
このようにして形成された乾燥剤収納体１は、透明部Ｔの領域内に色見本部材１０が貼着されるので、この透明シート４および透明シート状基板１１を透して内部に投入された粒状のインジケータ５を外部から目視することができる。
【００２７】
したがって、この乾燥剤収納体１を容器などに入れて使用すると、乾燥剤６が吸湿し、インジケータ５が湿度に応じて色変化した場合、このインジケータ５が湿度に応じて変化した色が、色見本部材１０に段階的に表示した色見本部１２の内どの色と一致するか比べると、色見本部１２の各色が示す吸湿状態を数字で表示した数値表示部１３により直ちに乾燥剤６の吸湿可能状態が分かる。
【００２８】
たとえば、インジケータ５の色が「０％区分」の色と同程度であれば、当該乾燥剤は交換時期になっていることが分かり、「３０％区分」であれば、そろそろ交換時期が近いことが分かり、「５０％区分」であれば、十分使用できる状態であることが分かる。
【００２９】
このように本実施形態では、内部に乾燥剤が収納された収納袋本体１の表面に色見本部材１０を取付けたので、外部からインジケータ５の色と、色見本部材１０に表示された吸湿程度を表示する色とを直接対比観察でき、乾燥剤６の使用寿命を目視により、容易にかつ正確に判断でき、容器内に収納された貴重品などを湿気から確実に保護することができる。
【００３０】
本発明は、上述した実施形態のみに限定されるものではなく、特許請求の範囲内で種々変更使用することができる。たとえば、上述した実施形態では、色見本部材１０は、数値表示部を用いて吸湿可能状態を正確に数値表示しているが、必ずしも数値表示に限定されるものではなく、赤、黄、緑などを用い色表示のみによりこれを行ってもよい。
【００３１】
また、色見本部材１０は、透明シート４に貼着してもよいが、これのみでなく透明シート４に予め印刷してもよい。
【００３２】
さらに、収納袋本体１は、強度を高めるために、たとえば、ガラス繊維や、炭素繊維等を含むもので構成してもよい。
【産業上の利用可能性】
【００３３】
本発明は、収納袋本体の表面に設けた色見本部材の色とインジケータの色を直接対比して、収納袋本体の内部に収納された乾燥剤の吸湿状態や、使用寿命の判断に利用できる。
【図面の簡単な説明】
【００３４】
【図１】本発明の実施形態に係る乾燥剤収納体を示す斜視図である。
【図２】図１の２−２線に沿う断面図である。
【図３】同実施形態の色見本部材を示す平面図である。
【図４】乾燥剤収納体の製造状態を略示した説明図である。
【符号の説明】
【００３５】
２…収納袋本体、
５…インジケータ、
６…乾燥剤、
１０…色見本部材、
１２…色見本部、
１３…数値表示部、
Ｔ…透明部。
【図１】
2005297969.tif 000003
【図２】
2005297969.tif 000004
【図３】
2005297969.tif 000005
【図４】
2005297969.tif 000006